(57)【要約】  消費電力を抑制しつつ、休止駆動中に視認される残像を早期に視認できなくすることができる液晶表示装置およびその駆動方法を提供する。  更新された画像データが送信されてくると、この画像データを用いて１回目のリフレッシュを行い、Ｒｅｆ＿ｉｎｔに基づいて次の２フレーム期間だけリフレッシュを休止する。そして、２回目および３回目のリフレッシュを連続して行い、次の更新された画像データが送信されてくるまでリフレッシュを休止することを繰り返す。この場合、更新された画像データを受信してから短期間にリフレッシュを３回行うことができるので、液晶分子の方向を印加電圧に対応する方向に短時間で配向させて、残像を視認できなくすることができる。
2014050327.tif 000002
【特許請求の範囲】
【請求項１】
所定のリフレッシュレートで休止駆動を行う液晶表示装置であって、
複数の画素形成部を含む表示部と、
前記表示部を駆動する駆動部と、
外部から受け取るデータに基づいて前記駆動部を制御する表示制御部とを備え、
前記表示制御部は、前記データに含まれる画像データが更新されたとき、更新された画像データを用いてリフレッシュを１回行い、次に画像データのリフレッシュレートに応じて決まる休止期間だけリフレッシュを休止し、前記休止期間の終了後に前記更新された画像データと同じ画像データを用いてリフレッシュを少なくとも１回以上行うことを特徴とする、液晶表示装置。
【請求項２】
前記休止期間の終了後に行うリフレッシュの回数は２回であることを特徴とする、請求項１に記載の液晶表示装置。
【請求項３】
前記休止期間の終了後に行う２回のリフレッシュは連続して行うことを特徴とする、請求項２に記載の液晶表示装置。
【請求項４】
前記休止期間の経過後に行う２回のリフレッシュは、リフレッシュを休止する期間を間に挟んで行うことを特徴とする、請求項２に記載の液晶表示装置。
【請求項５】
前記所定のリフレッシュレートは不定期で切り替えられ、前記リフレッシュレートが変更されれば、それに応じて前記休止期間の長さも変更されることを特徴とする、請求項１に記載の液晶表示装置。
【請求項６】
前記所定のリフレッシュレートは不定期で切り替えられ、前記リフレッシュレートが変更されても前記休止期間の長さは一定であることを特徴とする、請求項１に記載の液晶表示装置。
【請求項７】
前記表示制御部は、交流駆動のための制御を行い、
正極性でリフレッシュを行うリフレッシュフレームおよび正極性を維持するノンリフレッシュフレームからなる複数の正極性フレームと、負極性でリフレッシュを行うリフレッシュフレームおよび負極性を維持するノンリフレッシュフレームからなる複数の負極性フレームとを略同じ割合で交互に設けることを特徴とする、請求項１に記載の液晶表示装置。
【請求項８】
前記表示制御部は、リフレッシュを行っているときまたはリフレッシュを休止しているときに、前記表示部の画面を更新する画像データを含む新たなデータを外部から受け取れば、リフレッシュまたはリフレッシュの休止を中止し、前記新たなデータに含まれる画像データを用いたリフレッシュを１回行い、次に画像データのリフレッシュレートに応じて決まる前記休止期間だけリフレッシュを休止し、前記休止期間の終了後に前記更新された画像データと同じ画像データを用いてリフレッシュを少なくとも１回以上行うことを特徴とする、請求項１に記載の液晶表示装置。
【請求項９】
前記表示制御部は、外部から受け取った前記データに含まれる画像データが更新されていないとき、前記休止期間の終了後に行うリフレッシュを休止することを特徴とする、請求項８に記載の液晶表示装置。
【請求項１０】
前記表示制御部は、前記データに含まれる画像データを１フレーム分だけ記憶するフレームメモリを含み、
前記表示制御部は、前記更新された画像データを外部から受け取らなかったとき、前記フレームメモリから読み出した画像データを用いてリフレッシュを１回行い、前記休止期間の終了後に行うリフレッシュを休止することを特徴とする、請求項８に記載の液晶表示装置。
【請求項１１】
前記画素形成部は、前記表示部内の走査線に制御端子が接続され、前記表示部内の信号線に第１導通端子が接続され、表示すべき画像に応じた電圧が印加されるべき、前記表示部内の画素電極に第２導通端子が接続され、酸化物半導体によりチャネル層が形成された薄膜トランジスタを含むことを特徴とする、請求項１に記載の液晶表示装置。
【請求項１２】
前記酸化物半導体は、インジウム（Ｉｎ）、ガリウム（Ｇａ）、亜鉛（Ｚｎ）および酸素（О）を主成分とするＩｎＧａＺｎＯｘであることを特徴とする、請求項１１に記載の液晶表示装置。
【請求項１３】
複数の画素形成部を含む表示部と、前記表示部を駆動する駆動部と、外部から受け取るデータに基づいて前記駆動部を制御する表示制御部とを備え、所定のリフレッシュレートで休止駆動を行う液晶表示装置の駆動方法であって、
前記データに含まれる画像データが更新されたとき、更新された画像データを用いてリフレッシュを１回行うステップと、
画像データのリフレッシュレートに応じて決まる休止期間だけリフレッシュを休止するステップと、
前記休止期間の終了後に前記更新された画像データと同じ画像データを用いてリフレッシュを少なくとも１回以上行うステップとを備えることを特徴とする、液晶表示装置の駆動方法。
【発明の詳細な説明】
【技術分野】
【０００１】
本発明は、液晶表示装置およびその駆動方法に関し、特に、休止駆動によって画像を表示する液晶表示装置およびその駆動方法に関する。
【背景技術】
【０００２】
近年、小型で軽量の電子機器の開発が活発に行われている。このような電子機器に表示装置として搭載される液晶表示装置は低消費電力であることが求められている。液晶表示装置の消費電力を低減する駆動方法の１つとして、走査線を走査して画面のリフレッシュを行う走査期間を設け、次に全ての走査線を非走査状態にしてリフレッシュを休止する休止期間（ノンリフレッシュ期間）を設ける「休止駆動」と呼ばれる駆動方法がある。この駆動方法では、休止期間に、走査線駆動回路および／または信号線駆動回路に制御用の信号などを与えない。これにより、走査線駆動回路および／または信号線駆動回路の動作を休止させることができるので、液晶表示装置の低消費電力化を図ることができる。このような休止駆動は「低周波駆動」または「間欠駆動」とも呼ばれる。【０００３】
例えば、日本の特開２００４−７８１２４号公報は、データ信号を信号線に取り込むためのクロック信号を生成するクロック信号生成回路の動作を停止させることにより、休止期間における消費電力を低減することを開示している。
【先行技術文献】
【特許文献】
【０００４】
【特許文献１】日本の特開２００４−７８１２４号公報
【発明の概要】
【発明が解決しようとする課題】
【０００５】
休止駆動では、休止期間のフレーム数を増やせば増やすほど消費電力を低減することができる。例えばリフレッシュレートを１Ｈｚにすれば、リフレッシュフレームのフレーム数が１フレーム、ノンリフレッシュフレームのフレーム数が５９フレームになり、消費電力を大幅に低減することができる。しかし、後述する理由により、１回目のリフレッシュを開始してから３回目のリフレッシュが終了するまでの２秒間に残像が視認されるという問題が生じる。このように、リフレッシュレートを低くすれば、単位時間あたりに画面をリフレッシュする回数が少なくなるので、残像が長く視認されるようになる。【０００６】
休止駆動時にこのような残像が視認される理由を説明する。まず、液晶表示装置の表示部に含まれる画素形成部の構成について説明する。各画素形成部には、スイッチング素子として機能する薄膜トランジスタ（Thin Film Transistor：以下「ＴＦＴ」という）が設けられている。ＴＦＴのソース端子は信号線に、ゲート端子は走査線に、ドレイン端子は画素電極にそれぞれ電気的に接続されている。画素電極は、すべての画素に共通的に設けられた共通電極との間で液晶容量を形成している。信号線からＴＦＴを介して、画像データに応じた信号電圧（駆動用画像信号）が液晶容量に書き込まれれば、信号電圧に対応する方向に液晶分子が配向し、液晶表示装置は画像データによって表される画像を表示する。【０００７】
この液晶容量は、液晶誘電率をε、画素電極と共通電極との相対面積をＳ、画素電極と共通電極との距離をｄとしたとき、次式で表される。
Ｃｌｃ＝ε×Ｓ／ｄ
液晶誘電率εや液晶容量Ｃｌｃには異方性があり、液晶分子の配向方向によってその値が異なる。液晶分子の配向方向は、書き込み期間内に印加電圧に追従して変化しきれないので、書き込み期間の終了後にも変化する。このように、書き込み期間終了後の液晶容量の変化に伴い、液晶印加電圧が変化するので、１回のリフレッシュでは所望の液晶透過率に到達しない。【０００８】
図１７は、従来の液晶表示装置における通常駆動を示すタイミングチャートの一例である。図１７に示すように、走査期間ごとに、白表示を行うための正極性の電圧と負極性の電圧を液晶容量に交互に印加する。１回目の走査期間に、正極性の電圧を液晶容量に印加すると、液晶分子は印加電圧に対応する方向に近づくように配向する。しかし、液晶容量は白表示に必要な容量（図中の一点鎖線）に到達しないので、印加電圧は白表示に必要な電圧Ｖａに到達しない。２回目の走査期間に、負極性の電圧を液晶容量に印加する場合も、液晶分子は印加電圧に対応する方向に近づくように配向する。しかし、液晶容量は白表示に必要な容量に到達せず、印加電圧も電圧Ｖａに到達しない。３回目の走査期間に、正極性の電圧を液晶容量に印加すると、液晶容量は白表示に必要な容量（図中の１点鎖線）に到達し、印加電圧も白表示に必要な電圧Ｖａに到達する。このため、後述する図１８に示すような電圧差は生じす、残像は視認されない。【０００９】
次に、従来の休止駆動について説明する。図１８は、従来の液晶表示装置における第１の休止駆動を示すタイミングチャートの一例である。図１８に示すように、走査期間が１フレーム期間だけ設けられている。この走査期間に、白表示を行うために負極性の電圧が液晶容量に印加され、その後は休止期間になる。液晶分子は、走査期間に印加された電圧に対応する方向に近づくように配向する。しかし、液晶分子の配向方向は、書き込み期間内に印加電圧に追従して変化しきれないので、液晶容量の変化は印加電圧の変化に比べて遅れる。このため、書き込み期間が終了したときの液晶容量は、白表示に必要な容量（図中の一点鎖線）に到達することができない。その結果、液晶容量の印加電圧は白表示に必要な電圧Ｖａに到達せず、それよりも低い電圧Ｖｂまでしか上昇することができない。これにより、これらの電圧ＶａとＶｂとの間に差が生じる。この電圧差が画面上で残像が視認される原因になる。【００１０】
そこで、本発明は、消費電力を抑制しつつ、休止駆動中に視認される残像を早期に視認できなくすることができる液晶表示装置およびその駆動方法を提供することを目的とする。
【課題を解決するための手段】
【００１１】
本発明の第１の局面は、所定のリフレッシュレートで休止駆動を行う液晶表示装置であって、
複数の画素形成部を含む表示部と、
前記表示部を駆動する駆動部と、
外部から受け取るデータに基づいて前記駆動部を制御する表示制御部とを備え、
前記表示制御部は、前記データに含まれる画像データが更新されたとき、更新された画像データを用いてリフレッシュを１回行い、次に画像データのリフレッシュレートに応じて決まる休止期間だけリフレッシュを休止し、前記休止期間の終了後に前記更新された画像データと同じ画像データを用いてリフレッシュを少なくとも１回以上行うことを特徴とする。【００１２】
本発明の第２の局面は、本発明の第１の局面において、
前記休止期間の終了後に行うリフレッシュの回数は２回であることを特徴とする。【００１３】
本発明の第３の局面は、本発明の第２の局面において、
前記休止期間の終了後に行う２回のリフレッシュは連続して行うことを特徴とする。【００１４】
本発明の第４の局面は、本発明の第２の局面において、
前記休止期間の経過後に行う２回のリフレッシュは、リフレッシュを休止する期間を間に挟んで行うことを特徴とする。【００１５】
本発明の第５の局面は、本発明の第１の局面において、
前記所定のリフレッシュレートは不定期で切り替えられ、前記リフレッシュレートが変更されれば、それに応じて前記休止期間の長さも変更されることを特徴とする。【００１６】
本発明の第６の局面は、本発明の第１の局面において、
前記所定のリフレッシュレートは不定期で切り替えられ、前記リフレッシュレートが変更されても前記休止期間の長さは一定であることを特徴とする。【００１７】
本発明の第７の局面は、本発明の第１の局面において、
前記表示制御部は、交流駆動のための制御を行い、
正極性でリフレッシュを行うリフレッシュフレームおよび正極性を維持するノンリフレッシュフレームからなる複数の正極性フレームと、負極性でリフレッシュを行うリフレッシュフレームおよび負極性を維持するノンリフレッシュフレームからなる複数の負極性フレームとを略同じ割合で交互に設けることを特徴とする。【００１８】
本発明の第８の局面は、本発明の第１の局面において、
前記表示制御部は、リフレッシュを行っているときまたはリフレッシュを休止しているときに、前記表示部の画面を更新する画像データを含む新たなデータを外部から受け取れば、リフレッシュまたはリフレッシュの休止を中止し、前記新たなデータに含まれる画像データを用いたリフレッシュを１回行い、次に画像データのリフレッシュレートに応じて決まる前記休止期間だけリフレッシュを休止し、前記休止期間の終了後に前記更新された画像データと同じ画像データを用いてリフレッシュを少なくとも１回以上行うことを特徴とする。【００１９】
本発明の第９の局面は、本発明の第８の局面において、
前記表示制御部は、外部から受け取った前記データに含まれる画像データが更新されていないとき、前記休止期間の終了後に行うリフレッシュを休止することを特徴とする。【００２０】
本発明の第１０の局面は、本発明の第８の局面において、
前記表示制御部は、前記データに含まれる画像データを１フレーム分だけ記憶するフレームメモリを含み、
前記表示制御部は、前記更新された画像データを外部から受け取らなかったとき、前記フレームメモリから読み出した画像データを用いてリフレッシュを１回行い、前記休止期間の終了後に行うリフレッシュを休止することを特徴とする。【００２１】
本発明の第１１の局面は、本発明の第１の局面において、
前記画素形成部は、前記表示部内の走査線に制御端子が接続され、前記表示部内の信号線に第１導通端子が接続され、表示すべき画像に応じた電圧が印加されるべき、前記表示部内の画素電極に第２導通端子が接続され、酸化物半導体によりチャネル層が形成された薄膜トランジスタを含むことを特徴とする。【００２２】
本発明の第１２の局面は、本発明の第１１の局面において、
前記酸化物半導体は、インジウム（Ｉｎ）、ガリウム（Ｇａ）、亜鉛（Ｚｎ）および酸素（О）を主成分とするＩｎＧａＺｎＯｘであることを特徴とする。【００２３】
本発明の第１３の局面は、複数の画素形成部を含む表示部と、前記表示部を駆動する駆動部と、外部から受け取るデータに基づいて前記駆動部を制御する表示制御部とを備え、所定のリフレッシュレートで休止駆動を行う液晶表示装置の駆動方法であって、
前記データに含まれる画像データが更新されたとき、更新された画像データを用いてリフレッシュを１回行うステップと、
画像データのリフレッシュレートに応じて決まる休止期間だけリフレッシュを休止するステップと、
前記休止期間の終了後に前記更新された画像データと同じ画像データを用いてリフレッシュを少なくとも１回以上行うステップとを備えることを特徴とする。
【発明の効果】
【００２４】
本発明の第１の局面によれば、外部から受け取る画像データが更新されたとき、更新された画像データを用いてリフレッシュを１回行い、次に画像データのリフレッシュレートに応じて決まる休止期間だけリフレッシュを休止する。そして、休止期間の終了後に更新された画像データと同じ画像データを用いてリフレッシュを少なくとも１回以上行う。これにより、更新された画像データを受信してから短期間にリフレッシュを複数回行うことができるので、液晶分子の方向を印加電圧に対応する方向に短時間で配向させることができる。その結果、液晶表示装置の消費電力を低減しつつ、液晶誘電率の異方性に起因する休止駆動中の残像を視認できなくすることができる。【００２５】
本発明の第２の局面によれば、更新された画像データを用いてリフレッシュを全部で３回行うことができるので、液晶分子の方向を印加電圧に対応した方向に配向させることができる。これにより、液晶誘電率の異方性に起因する残像を視認できなくすることができる。【００２６】
本発明の第３の局面によれば、休止期間後に行う２回のリフレッシュを連続して行うので、更新された画像データを用いて行う全部で３回のリフレッシュを短時間で終わらせることができる。これにより、液晶誘電率の異方性に起因する休止駆動中の残像を見えなくすることができる。【００２７】
本発明の第４の局面によれば、休止期間の経過後に行う２回のリフレッシュは、リフレッシュを休止する期間を間に挟んで行う。これにより、画像データのリフレッシュレートが１０Ｈｚの場合には、休止期間の経過後に行うリフレッシュが１回になるので、液晶表示装置の消費電力を低減することができる。【００２８】
本発明の第５の局面によれば、休止駆動中のリフレッシュレートが不定期で切り替えられ、それに応じて休止期間の長さも変更される。このように、休止期間の長さを設定し直すことによって、リフレッシュレートによらずに、休止駆動中の残像を確実に視認されないようにすることができる。【００２９】
本発明の第６の局面によれば、休止駆動中のリフレッシュレートが不定期で切り替えられても、休止期間の長さは一定である。この場合、休止期間の長さを格納するためのレジスタを１個だけ設ければ良いので、液晶表示装置の製造コストを低減することができる。【００３０】
本発明の第７の局面によれば、正極性フレームと負極性フレームとを略同じ割合で交互に設けることにより、画素形成部の液晶層が交流駆動される。これにより、液晶層の劣化を抑制することが可能になる。【００３１】
本発明の第８の局面によれば、リフレッシュを行っているとき、またはリフレッシュを休止しているときに、外部から新たな画像データを受け取った場合には、それまで行っていたリフレッシュまたはリフレッシュの休止を中止し、新たな画像データを用いて１回目のリフレッシュを行うことから行う。これにより、画像データが更新されたとき、表示部の画面もただちにリフレッシュされ、更新された画像を表示することが可能になる。【００３２】
本発明の第９の局面によれば、直前に送信されてきた画像データと同じ画像データがホストから送信されてきた場合には、リフレッシュの回数を減らしても残像は視認されない。これにより、液晶表示装置の消費電力を低減することができる。【００３３】
本発明の第１０の局面によれば、フレームメモリから読み出した画像データを用いてリフレッシュを行う場合には、リフレッシュの回数を減らしても残像は視認されない。これにより、液晶表示装置の消費電力を低減することができる。【００３４】
本発明の第１１の局面によれば、画素形成部内の薄膜トランジスタとしてチャネル層が酸化物半導体により形成された薄膜トランジスタが用いられる。これにより、画素形成部に書き込まれた電圧が長時間にわたり保持されるので、リフレッシュレートが低い場合でも液晶表示装置の表示品位の低下を抑制することができる。【００３５】
本発明の第１２の局面によれば、チャネル層を形成する酸化物半導体としてＩｎＧａＺｎＯｘを用いることにより、本発明の第９の局面による効果を確実に達成することができる。【００３６】
本発明の第１３の局面によれば、本発明の第１の局面による効果と同様の効果を奏する。
【図面の簡単な説明】
【００３７】
【図１】第１の基礎検討において、画像データが３０Ｈｚで更新されているときの液晶表示装置のリフレッシュ動作を説明するための図である。
【図２】第１の基礎検討において、画像データが２０Ｈｚで更新されているときの液晶表示装置のリフレッシュ動作を説明するための図である。
【図３】第２の基礎検討において、画像データのリフレッシュレートとノンリフレッシュフレームのフレーム数との関係を示す図であり、より詳細には、（ａ）は画像データのリフレッシュレートが３０Ｈｚの場合のリフレッシュレートとノンリフレッシュフレームのフレーム数との関係を示す図であり、（ｂ）は画像データのリフレッシュレートが２０Ｈｚの場合のリフレッシュレートとノンリフレッシュフレームのフレーム数との関係を示す図であり、（ｃ）は画像データのリフレッシュレートが１５Ｈｚの場合のリフレッシュレートとノンリフレッシュフレームのフレーム数との関係を示す図である。
【図４】本発明の第１の実施形態に係る液晶表示装置の構成を示すブロック図である。
【図５】図４に示す液晶表示装置に含まれる、ビデオモードＲＡＭスルーに対応した表示制御回路の構成を示すブロック図である。
【図６】図４に示す液晶表示装置に含まれる、ビデオモードＲＡＭキャプチャーに対応した表示制御回路の構成を示すブロック図である。
【図７】図４に示す液晶表示装置に含まれる、コマンドモードＲＡＭライトに対応した表示制御回路の構成を示すブロック図である。
【図８】本発明の第１の実施形態に係る液晶表示装置の休止駆動における動作を説明するための図である。
【図９】図８に示す第１の実施形態の第１の変形例に係る液晶表示装置の休止駆動における動作を説明するための図である。
【図１０】図８に示す第１の実施形態の第２の変形例に係る液晶表示装置の休止駆動における動作を説明するための図である。
【図１１】本発明の第２の実施形態に係る液晶表示装置の休止駆動における動作を説明するための図である。
【図１２】図１１に示す第２の実施形態の第１の変形例に係る液晶表示装置の休止駆動における動作を説明するための図である。
【図１３】図１１に示す第２の実施形態の第２の変形例に係る液晶表示装置の休止駆動における動作を説明するための図である。
【図１４】本発明の第３の実施形態に係る液晶表示装置の休止駆動における動作を説明するための図である。
【図１５】図１４に示す第３の実施形態の第１の変形例に係る液晶表示装置の休止駆動における動作を説明するための図である。
【図１６】図１４に示す第３の実施形態の第２の変形例に係る液晶表示装置の休止駆動における動作を説明するための図である。
【図１７】従来の液晶表示装置における通常駆動を示すタイミングチャートの一例である。
【図１８】従来の液晶表示装置における第１の休止駆動を示すタイミングチャートの一例である。
【発明を実施するための形態】
【００３８】
＜１．基礎検討＞
＜１．１  第１の基礎検討＞
図１は、画像データが３０Ｈｚで更新されているときの液晶表示装置のリフレッシュ動作を説明するための図であり、図２は、画像データが２０Ｈｚで更新されているときの液晶表示装置のリフレッシュ動作を説明するための図である。
【００３９】
まず、図１を参照して、３０Ｈｚで更新された画像データがホストから送信されてくる場合について説明する。この場合、画像データは１フレームおきに更新されている。表示制御回路は、このような画像データを受信すると、液晶誘電率の異方性に起因する残像を視認できないようにするために、更新された画像データを用いて第１フレームで１回目のリフレッシュを行った後に、さらに同じ画像データを用いて第２および第３フレームでリフレッシュを行うことにより、合計３回のリフレッシュを行うことが好ましい。そこで、リフレッシュを休止する予定であった第２フレームで２回目のリフレッシュを行う。しかし、第３フレームで３回目のリフレッシュを行おうとすると、ホストから次の更新された画像データが送信されてくる。
【００４０】
そこで、表示制御回路は、第３フレームで、３回目のリフレッシュを行うことなく、更新された画像データを用いて１回目のリフレッシュを行い、さらに同じ画像データを用いて第４フレームで２回目のリフレッシュを行う。しかし、第５フレームで３回目のリフレッシュを行おうとすると、ホストからさらに更新された画像データが送信されてくる。そこで、表示制御回路は、第５フレームで、３回目のリフレッシュを行うことなく、更新された画像データを用いて１回目のリフレッシュを行い、第６フレームで同じ画像データを用いて２回目のリフレッシュを行う。
【００４１】
以下、同様にして、奇数番目のフレームではホストから送信されてきた画像データを用いてリフレッシュを行い、偶数番目のフレームでは、直前の奇数番目のフレームと同じ画像データを用いてリフレッシュを行う。その結果、画像データは１フレームおきに更新されているにもかかわらず、液晶表示装置の表示部には、すべてのフレームでリフレッシュされた画像が表示される。つまり、ホストは３０Ｈｚで動作しているにもかかわらず、液晶表示装置は６０Ｈｚで動作していることになるので、この駆動方法は液晶表示装置の消費電力を低減することができない。この場合、画像データが更新されるごとに、リフレッシュを２回しか行っていないので、多少残像が残る。しかし、画像データは３０Ｈｚと高いリフレッシュレートで更新されているので、その残像が気になるようなことはない。
【００４２】
次に、図２を参照して、ホストから２０Ｈｚで更新された画像データが送信されてくる場合について説明する。この場合、画像データは２フレームおきに更新されている。表示制御回路は、このような画像データを受信すると、液晶誘電率の異方性に起因する残像を視認できないようにするために、更新された画像データを用いて第１フレームで１回目のリフレッシュを行った後に、さらに同じ画像データを用いて２回目および３回目のリフレッシュを行う。２回目および３回目のリフレッシュは、リフレッシュを休止する予定であった第２および第３フレームで行う。
【００４３】
３回目のリフレッシュが終了したときに、ホストから次の更新された画像データが送信されてくる。そこで、表示制御回路は、更新された画像データを用いて、第４フレームで１回目のリフレッシュを行った後に、さらに同じ画像データを用いて２回目および３回目のリフレッシュを行う。２回目および３回目のリフレッシュは、リフレッシュを休止する予定であった第５および第６フレームで行う。
【００４４】
以下、同様にして、画像データが送信されてきたときに１回目のリフレッシュを行い、さらに連続して２回目および３回目のリフレッシュを行うことを繰り返す。その結果、画像データは２フレームおきに更新されているにもかかわらず、液晶表示装置の表示部には、すべてのフレームでリフレッシュされた画像が表示される。つまり、ホストは２０Ｈｚで動作しているにもかかわらず、液晶表示装置は６０Ｈｚで動作していることになるので、この駆動方法では液晶表示装置の消費電力を低減することができない。この場合、画像データが更新されるごとに、リフレッシュを３回行うので、残像は視認されない。
【００４５】
このようにして、３０Ｈｚまたは２０Ｈｚで更新される画像データを用いて、リフレッシュを２回または３回行うことにより、液晶誘電率の異方性に起因する残像を軽減したり、視認できないようにしたりすることはできるが、いずれの場合も液晶表示装置の消費電力を低減することはできない。
【００４６】
＜１．２  第２の基礎検討＞
図３（ａ）から図３（ｃ）は、画像データのリフレッシュレートとノンリフレッシュフレームのフレーム数との関係を示す図であり、より詳細には、図３（ａ）は画像データのリフレッシュレートが３０Ｈｚの場合のリフレッシュレートとノンリフレッシュフレームのフレーム数との関係を示す図であり、図３（ｂ）は画像データのリフレッシュレートが２０Ｈｚの場合のリフレッシュレートとノンリフレッシュフレームのフレーム数との関係を示す図であり、図３（ｃ）は画像データのリフレッシュレートが１５Ｈｚの場合のリフレッシュレートとノンリフレッシュフレームのフレーム数との関係を示す図である。なお、以下の説明において、２つのリフレッシュフレームの間に、リフレッシュを休止するノンリフレッシュフレームをｋフレーム分だけ設ける場合、Ｒｅｆ＿ｉｎｔをｋ（ｋは１以上の整数）に設定するという。また、Ｒｅｆ＿ｉｎｔによって決まるリフレッシュを休止する期間を休止期間ともいう。
【００４７】
図３（ａ）に示すように、リフレッシュレートが３０Ｈｚの画像データに応じた画像を表示するためにリフレッシュを行う場合、Ｒｅｆ＿ｉｎｔを２に設定すると、第１フレームで１回目のリフレッシュを行い、第２フレームでリフレッシュを休止する。さらに第３フレームでもリフレッシュを休止しようとすると、次の更新された画像データが送信されてくる。そこで、オートリフレッシュ機能によりリフレッシュを行う。第４フレームではリフレッシュを休止するが、第５フレームでは、第３フレームの場合と同様に、更新された画像データが送信されてくるのでリフレッシュを行う。以下同様にして、奇数番目のフレームでリフレッシュを行い、偶数番目のフレームでリフレッシュを休止する。このように、Ｒｅｆ＿ｉｎｔを２に設定しているにもかかわらず、Ｒｅｆ＿ｉｎｔを１に設定した場合と同じ結果になる。Ｒｅｆ＿ｉｎｔを３以上に設定した場合も上記の場合と同じ結果になる。
【００４８】
なお、オートリフレッシュ機能とは、直前のリフレッシュと同じ画像データを用いてリフレッシュを行ったり、ノンリフレッシュを行なったりする予定であっても、更新された画像データがホストから送信されてくれば、それらの動作を中止し、更新された画像を用いて再び１回目のリフレッシュから行う機能をいう。オートリフレッシュを行うことにより、画像データが更新されたとき、表示部の画面もただちにリフレッシュされ、更新された画像を表示することが可能になる。
【００４９】
図３（ｂ）に示すように、リフレッシュレートが２０Ｈｚの画像データに応じた画像を表示するためにリフレッシュを行う場合、Ｒｅｆ＿ｉｎｔを３に設定すると、第１フレームで１回目のリフレッシュを行い、第２および第３フレームでリフレッシュを休止する。さらに第４フレームでもリフレッシュを休止しようとすると、次の更新された画像データが送信されてくるので、オートリフレッシュ機能によりリフレッシュを行う。第５および第６フレームではリフレッシュを休止するが、第７フレームでは、第４フレームの場合と同様に、更新された画像データが送信されてくるのでリフレッシュを行う。以下同様にして、３フレームおきにリフレッシュを行い、その直後の２フレームでリフレッシュを休止する。このように、Ｒｅｆ＿ｉｎｔを３に設定しているにもかかわらず、Ｒｅｆ＿ｉｎｔを２に設定した場合と同じ結果になる。Ｒｅｆ＿ｉｎｔを４以上に設定した場合も上記の場合と同じ結果になる。
【００５０】
図３（ｃ）に示すように、１５Ｈｚで更新される画像データに応じた画像を表示するためにリフレッシュを行う場合、Ｒｅｆ＿ｉｎｔを４に設定すると、第１フレームで１回目のリフレッシュを行い、第２から第４フレームでリフレッシュを休止する。さらに第５フレームでもリフレッシュを休止しようとすると、次の更新された画像データが送信されてくるので、オートリフレッシュ機能によりリフレッシュを行う。第６フレームから第８フレームではリフレッシュを休止するが、第９フレームでは、第５フレームの場合と同様に、更新された画像データが送信されてくるのでリフレッシュを行う。以下同様にして、４フレームおきにリフレッシュを行い、その直後の３フレームでリフレッシュを休止する。このように、Ｒｅｆ＿ｉｎｔを４に設定しているにもかかわらず、Ｒｅｆ＿ｉｎｔを３に設定した場合と同じ結果になる。Ｒｅｆ＿ｉｎｔを５以上に設定した場合も上記の場合と同じ結果になる。
【００５１】
このように、所定の周期で更新される画像データを用いて休止駆動するために、ノンリフレッシュフレームを設ける場合、ノンリフレッシュフレームのフレーム数は画像データのリフレッシュレートに応じて決まることがわかる。特に、液晶誘電率の異方性に起因する残像を視認できなくするためのリフレッシュは短期間に行うことが必要であるので、Ｒｅｆ＿ｉｎｔは小さい方が好ましい。そこで、以下に説明する各実施形態では、特に説明しない限り、Ｒｅｆ＿ｉｎｔは２であるとして説明する。
【００５２】
＜２．第１の実施形態＞
＜２．１  液晶表示装置の構成および動作概要＞
図４は、本発明の第１の実施形態に係る液晶表示装置２の構成を示すブロック図である。図４に示すように、液晶表示装置２は、液晶表示パネル１０、およびバックライトユニット３０を備えている。液晶表示パネル１０には、外部との接続用のＦＰＣ（Flexible Printed Circuit）２０が設けられている。また、液晶表示パネル１０上には、表示部１００、表示制御回路２００、信号線駆動回路３００、および走査線駆動回路４００が設けられている。なお、信号線駆動回路３００および走査線駆動回路４００の双方またはいずれか一方は表示制御回路２００内に設けられていても良い。また、信号線駆動回路３００および走査線駆動回路４００の双方またはいずれか一方は表示部１００と一体的に形成されていても良い。液晶表示装置２の外部には、主としてＣＰＵにより構成されるホスト１（システム）が設けられている。
【００５３】
表示部１００には、複数本（ｍ本）の信号線ＳＬ１〜ＳＬｍと、複数本（ｎ本）の走査線ＧＬ１〜ＧＬｎと、これらのｍ本の信号線ＳＬ１〜ＳＬｍとｎ本の走査線ＧＬ１〜ＧＬｎとの交差点のそれぞれに対応して設けられた複数個（ｍ×ｎ個）の画素形成部１１０とが形成されている。ここで、ｍおよびｎはいずれも１以上の整数である。以下、ｍ本の信号線ＳＬ１〜ＳＬｍを区別しない場合にはこれらを単に「信号線ＳＬ」といい、ｎ本の走査線ＧＬ１〜ＧＬｎを区別しない場合にはこれらを単に「走査線ＧＬ」という。ｍ×ｎ個の画素形成部１１０はマトリクス状に形成されている。各画素形成部１１０は、対応する交差点を通過する走査線ＧＬに制御端子としてのゲート端子が接続されると共に、当該交差点を通過する信号線ＳＬに第１導通端子としてのソース端子が接続されたＴＦＴ１１１と、当該ＴＦＴ１１１の第２導通端子としてのドレイン端子に接続された画素電極１１２と、ｍ×ｎ個の画素形成部１１０に共通的に設けられた共通電極１１３と、画素電極１１２と共通電極１１３との間に挟持され、複数個の画素形成部１１０に共通的に設けられた液晶層とにより構成される。画素電極１１２と共通電極１１３により形成される液晶容量Ｃｃｌは、画素容量を構成する。なお、典型的には、画素容量に確実に電圧を保持すべく液晶容量Ｃｃｌに並列に補助容量が設けられる。このため、画素容量は液晶容量Ｃｃｌおよび補助容量により構成される。しかし、本明細書では、画素容量は液晶容量Ｃｃｌのみにより構成されるとして説明する。
【００５４】
ＴＦＴ１１１としては、例えば酸化物半導体をチャネル層に用いたＴＦＴ（以下「酸化物ＴＦＴ」という。）が用いられる。より詳細には、ＴＦＴ１２のチャネル層は、インジウム（Ｉｎ）、ガリウム（Ｇａ）、亜鉛（Ｚｎ）、および酸素（Ｏ）を主成分とするＩｎＧａＺｎＯｘにより形成されている。以下では、ＩｎＧａＺｎＯｘをチャネル層に用いたＴＦＴのことを「ＩＧＺＯ−ＴＦＴ」という。ＩＧＺＯ−ＴＦＴは、多結晶シリコンや非晶質シリコンなどをチャネル層に用いたシリコン系のＴＦＴに比べてオフリーク電流が非常に小さいので、液晶容量Ｃｃｌに書き込まれた信号電圧は長期間保持される。このため、リフレッシュレートが低い場合でも表示品位の低下を抑制することができる。
【００５５】
なお、ＩｎＧａＺｎＯｘ以外の酸化物半導体として、例えばインジウム、ガリウム、亜鉛、銅（Ｃｕ）、シリコン（Ｓｉ）、錫（Ｓｎ）、アルミニウム（Ａｌ）、カルシウム（Ｃａ）、ゲルマニウム（Ｇｅ）、および鉛（Ｐｂ）のうち少なくとも１つを含む酸化物半導体をチャネル層に用いた場合でも同様の効果が得られる。また、ＴＦＴ１１１として酸化物ＴＦＴを用いるのは一例であり、これに代えて多結晶シリコンや非晶質シリコンなどのシリコン系のＴＦＴを用いても良い。
【００５６】
表示制御回路２００は、典型的にはＬＳＩ（Large Scale Integration）によって実現される。表示制御回路２００は、ＦＰＣ２０を介してホスト１から画像データを含むデータＤＡＴを受信し、これに応じて信号線用制御信号ＳＣＴ、走査線用制御信号ＧＣＴ、および共通電位Ｖｃｏｍを生成し出力する。信号線用制御信号ＳＣＴは信号線駆動回路３００に与えられる。走査線用制御信号ＧＣＴは走査線駆動回路４００に与えられる。共通電位Ｖｃｏｍは共通電極１１３に与えられる。本実施形態では、ホスト１と表示制御回路２００との間におけるデータＤＡＴの送受信は、ＭＩＰＩ（Mobile Industry Processor Interface）Ａｌｌｉａｎｃｅによって提案された、ＤＳＩ（Display Serial Interface）規格に準拠したインターフェースを介して行われる。このＤＳＩ規格に準拠したインターフェースによれば、データ伝送を高速で行うことができる。本実施形態では、ＤＳＩ規格に準拠したインターフェースのビデオモードまたはコマンドモードを用いる。
【００５７】
信号線駆動回路３００は、信号線用制御信号ＳＣＴに応じて、信号線ＳＬに与えるべき駆動用画像信号を生成し出力する。信号線用制御信号ＳＣＴには、例えばＲＧＢデータＲＧＢＤに対応するデジタル画像信号、ソーススタートパルス信号、ソースクロック信号、およびラッチストローブ信号などが含まれる。信号線駆動回路３００は、ソーススタートパルス信号、ソースクロック信号、およびラッチストローブ信号に応じて、その内部の図示しないシフトレジスタおよびサンプリングラッチ回路などを動作させ、デジタル画像信号に基づいて得られたデジタル信号を図示しないＤＡ変換回路でアナログ信号に変換することにより駆動用画像信号を生成する。
【００５８】
走査線駆動回路４００は、走査線用制御信号ＧＣＴに応じて、アクティブな走査信号の走査線ＧＬへの印加を所定周期で繰り返す。走査線用制御信号ＧＣＴには、例えばゲートクロック信号およびゲートスタートパルス信号が含まれる。走査線駆動回路４００は、ゲートクロック信号およびゲートスタートパルス信号に応じて、その内部の図示しないシフトレジスタなどを動作させ、走査信号を生成する。
【００５９】
バックライトユニット３０は、液晶表示パネル１０の背面側に設けられ、液晶表示パネル１０の背面にバックライト光を照射する。バックライトユニット３０は、典型的には複数のＬＥＤ（Light Emitting Diode）を含んでいる。バックライトユニット３０は、表示制御回路２００により制御されるものであっても良いし、その他の方法により制御されるものであっても良い。なお、液晶表示パネル１０が反射型である場合には、バックライトユニット３０は設ける必要がない。
【００６０】
以上のようにして、信号線ＳＬに駆動用画像信号が印加され、走査線ＧＬに走査信号が印加され、バックライトユニット３０が駆動されることにより、ホスト１から送信された画像データに応じた画面が液晶表示パネル１０の表示部１００に表示される。
【００６１】
＜２．２  表示制御回路の構成＞
次に、表示制御回路２００の構成を、３つの態様に分けて説明する。第１の態様は、ビデオモードを用い、かつＲＡＭ（Random Access Memory）を設けない態様である。以下では、このような第１の態様のことを「ビデオモードＲＡＭスルー」という。第２の態様は、ビデオモードを用い、かつＲＡＭを設ける態様である。以下では、このような第２の態様のことを「ビデオモードＲＡＭキャプチャー」という。第３の態様は、コマンドモードを用い、かつＲＡＭを設ける態様である。以下では、このような第３の態様のことを「コマンドモードＲＡＭライト」という。なお、本発明はＤＳＩ規格に準拠したインターフェースに限定されるものではないので、表示制御回路２００の構成は、これら３種類の態様に限定されるものではない。
【００６２】
＜２．２．１  ビデオモードＲＡＭスルー＞
図５は、図４に示す液晶表示装置２に含まれる、ビデオモードＲＡＭスルーに対応した表示制御回路２００（以下「ビデオモードＲＡＭスルーの表示制御回路２００」という。）の構成を示すブロック図である。図５に示すように、表示制御回路２００は、インターフェース部２１０、コマンドレジスタ２２０、ＮＶＭ（Non-volatile memory：不揮発性メモリ）２２１、タイミングジェネレータ２３０、ＯＳＣ（Oscillator：発振器）２３１、ラッチ回路２４０、内蔵電源回路２５０、信号線用制御信号出力部２６０、および、走査線用制御信号出力部２７０を備えている。インターフェース部２１０にはＤＳＩ受信部２１１が含まれている。なお、上述のように、信号線駆動回路３００および走査線駆動回路４００の双方またはいずれか一方が表示制御回路２００内に設けられていても良い。
【００６３】
インターフェース部２１０内のＤＳＩ受信部２１１はＤＳＩ規格に準拠している。ビデオモードにおけるデータＤＡＴには、画像データであるＲＧＢデータＲＧＢＤｉｎと、同期信号である垂直同期信号ＶＳＹＮＣ、水平同期信号ＨＳＹＮＣ、データイネーブル信号ＤＥ、およびクロック信号ＣＬＫと、コマンドデータＣＭとが含まれている。コマンドデータＣＭには、各種制御に関するデータが含まれている。ＤＳＩ受信部２１１は、ホスト１からデータＤＡＴを受信すると、当該データＤＡＴに含まれるＲＧＢデータＲＧＢＤｉｎをラッチ回路２４０に送信し、垂直同期信号ＶＳＹＮＣ、水平同期信号ＨＳＹＮＣ、データイネーブル信号ＤＥ、およびクロック信号ＣＬＫをタイミングジェネレータ２３０に送信し、コマンドデータＣＭをコマンドレジスタ２２０に送信する。なお、コマンドデータＣＭは、Ｉ２Ｃ（Inter Integrated Circuit）規格またはＳＰＩ（Serial Peripheral Interface）規格に準拠したインターフェースを介してホスト１からコマンドレジスタ２２０に送信されても良い。この場合、インターフェース部２１０にはＩ２Ｃ規格またはＳＰＩ規格に準拠した受信部が含まれる。
【００６４】
コマンドレジスタ２２０はコマンドデータＣＭを保持する。ＮＶＭ２２１には各種制御用の設定データＳＥＴが保持されている。コマンドレジスタ２２０は、ＮＶＭ２２１に保持された設定データＳＥＴを読み出す。また、ホスト１から送信されたコマンドデータＣＭに応じて設定データＳＥＴを更新することもできる。画像データのリフレッシュレートに応じて設定されるＲｅｆ＿ｉｎｔは、設定データＳＥＴに含まれ、コマンドレジスタ２２０内に設けられたレジスタ２２２に格納される。コマンドレジスタ２２０は、レジスタ２２２に格納された、Ｒｅｆ＿ｉｎｔを含むデータに基づいて、表示部１００の画面をリフレッシュするためのタイミング制御信号ＴＳを生成し、これをタイミングジェネレータ２３０に送信する。また、電圧設定信号ＶＳを内蔵電源回路２５０に送信する。なお、図５には、レジスタ２２２が１個だけ記載されている。しかし、Ｒｅｆ＿ｉｎｔはレジスタ２２２に格納されるので、設定するＲｅｆ＿ｉｎｔの数が増えればそれに応じてレジスタ２２２の個数も増やす必要がある。
【００６５】
タイミングジェネレータ２３０は、垂直同期信号ＶＳＹＮＣ、水平同期信号ＨＳＹＮＣ、データイネーブル信号ＤＥ、およびクロック信号ＣＬＫと、タイミング制御信号ＴＳと、ＯＳＣ２３１で生成される内蔵クロック信号ＩＣＫとに基づいて、ラッチ回路２４０、信号線用制御信号出力部２６０、および走査線用制御信号出力部２７０を制御する制御信号を送信する。
【００６６】
また、タイミングジェネレータ２３０は、リフレッシュを行うとき、ホスト１に対してデータＤＡＴの送信を要求するために、垂直同期信号ＶＳＹＮＣ、水平同期信号ＨＳＹＮＣ、データイネーブル信号ＤＥ、およびクロック信号ＣＬＫと、タイミング制御信号ＴＳと、ＯＳＣ２３１で生成される内蔵クロック信号ＩＣＫとに基づいて生成したリクエスト信号ＲＥＱをホスト１に送信する。なお、ビデオモードＲＡＭスルーの表示制御回路２００ではＯＳＣ２３１は必須でない。
【００６７】
ホスト１はリクエスト信号ＲＥＱを受信すると、データＤＡＴを表示制御回路２００に送信する。このようして、リフレッシュを行う際には、リクエスト信号ＲＥＱに応じてホスト１から必要なデータＤＡＴがその都度送信され、送信されたデータＤＡＴに基づいて画面のリフレッシュが行われる。
【００６８】
ラッチ回路２４０は、タイミングジェネレータ２３０の制御に基づいて、ホスト１から送信されたデータＤＡＴに含まれるＲＧＢデータＲＧＢＤｏｕｔを１ライン分ずつ、信号線用制御信号出力部２６０に送信する。このようにして、画面のリフレッシュを必要な回数だけ行うことができる。
【００６９】
内蔵電源回路２５０は、ホスト１から与えられる電源およびコマンドレジスタ２２０から与えられる電圧設定信号ＶＳに基づいて、信号線用制御信号出力部２６０および走査線用制御信号出力部２７０で用いるための電源電圧および共通電位Ｖｃｏｍを生成し出力する。
【００７０】
信号線用制御信号出力部２６０は、ラッチ回路２４０からのＲＧＢデータＲＧＢＤоｕｔ、タイミングジェネレータ２３０からの制御信号、および内蔵電源回路２５０からの電源電圧に基づいて信号線用制御信号ＳＣＴを生成し、これを信号線駆動回路３００に送信する。
【００７１】
走査線用制御信号出力部２７０は、タイミングジェネレータ２３０からの制御信号および内蔵電源回路２５０からの電源電圧に基づいて走査線用制御信号ＧＣＴを生成し、これを走査線駆動回路４００に送信する。
【００７２】
＜２．２．２  ビデオモードＲＡＭキャプチャー＞
図６は、図４に示す液晶表示装置２に含まれる、ビデオモードＲＡＭキャプチャーに対応した表示制御回路２００（以下「ビデオモードＲＡＭキャプチャーの表示制御回路２００」という。）の構成を示すブロック図である。ビデオモードＲＡＭキャプチャーの表示制御回路２００は、図６に示すように、上述のビデオモードＲＡＭスルーの表示制御回路２００にフレームメモリ（ＲＡＭ）２８０を追加したものである。
【００７３】
ビデオモードＲＡＭスルーの表示制御回路２００では、ＤＳＩ受信部２１１からラッチ回路２４０にＲＧＢデータＲＧＢＤｉｎが直接送信される。しかし、ビデオモードＲＡＭキャプチャーの表示制御回路２００では、ＤＳＩ受信部２１１から送信されるＲＧＢデータＲＧＢＤｉｎはフレームメモリ２８０に保持される。そして、フレームメモリ２８０に保持されたＲＧＢデータＲＧＢＤｍоは、タイミングジェネレータ２３０で生成される制御信号に応じてラッチ回路２４０に読み出される。また、タイミングジェネレータ２３０は、上記リクエスト信号ＲＥＱに代えて垂直同期出力信号ＶＳＯＵＴをホスト１に送信する。垂直同期出力信号ＶＳＯＵＴは、フレームメモリ２８０へのＲＧＢデータＲＧＢＤｉｎの書き込みタイミングとフレームメモリ２８０からのＲＧＢデータＲＧＢＤｍоの読み出しタイミングが重複しないようにホスト１からのデータＤＡＴの送信タイミングを制御する信号である。ビデオモードＲＡＭキャプチャーの表示制御回路２００のその他の構成および動作は、ビデオモードＲＡＭスルーの表示制御回路２００におけるものと同様であるので、その説明を省略する。なお、ビデオモードＲＡＭキャプチャーの表示制御回路２００ではＯＳＣ２３１は必須でない。
【００７４】
また、タイミングジェネレータ２３０は、コマンドレジスタ２２０から表示部１００の画面をリフレッシュするためのタイミング制御信号ＴＳを受信すれば、制御信号をフレームメモリ２８０に送信する。これにより、フレームメモリ２８０に保持されているＲＧＢデータＲＧＢＤｍоは、タイミングジェネレータ２３０から受信した制御信号に応じてラッチ回路２４０に読み出される。
【００７５】
ビデオモードＲＡＭキャプチャーの表示制御回路２００では、フレームメモリ２８０にＲＧＢデータＲＧＢＤｍоを保持することができる。このため、画面をリフレッシュする場合には、ホスト１から表示制御回路２００にデータＤＡＴを送信する必要はなく、リフレッシュを行う回数に応じて、タイミングジェネレータ２３０がフレームメモリ２８０に制御信号を送信する。このようにして、表示部１００に現在表示されている画像と同じ画像を表示することにより、画面のリフレッシュを必要な回数だけ行うことができる。
【００７６】
＜２．２．３  コマンドモードＲＡＭライト＞
図７は、図４に示す液晶表示装置２に含まれる、コマンドモードＲＡＭライトに対応した表示制御回路２００（以下「コマンドモードＲＡＭライトの表示制御回路２００」という。）の構成を示すブロック図である。コマンドモードＲＡＭライトの表示制御回路２００は、図７に示すように、上述のデオモードＲＡＭキャプチャーの表示制御回路２００と同様の構成であるが、データＤＡＴに含まれるデータの種類が異なる。
【００７７】
コマンドモードにおけるデータＤＡＴには、コマンドデータＣＭが含まれ、ＲＧＢデータＲＧＢＤｉｎ、垂直同期信号ＶＳＹＮＣ、水平同期信号ＨＳＹＮＣ、データイネーブル信号ＤＥ、およびクロック信号ＣＬＫは含まれない。ただし、コマンドモードにおけるコマンドデータＣＭには、画像に関するデータおよび各種タイミングに関するデータが含まれている。コマンドレジスタ２２０は、コマンドデータＣＭのうちの、画像に関するデータに相当するＲＡＭライト信号ＲＧＢＤｍｉをフレームメモリ２８０に送信する。このＲＡＭライト信号ＲＡＭＷは、上記ＲＧＢデータＲＧＢＤｉｎに相当する。また、コマンドモードでは、タイミングジェネレータ２３０は垂直同期信号ＶＳＹＮＣおよび水平同期信号ＨＳＹＮＣを受信しないので、内蔵クロック信号ＩＣＫおよびタイミング制御信号ＴＳに基づいてそれらに相当する内部垂直同期信号ＩＶＳＹＮＣおよび内部水平同期信号ＩＨＳＹＮＣを内部で生成する。タイミングジェネレータ２３０は、これらの内部垂直同期信号ＩＶＳＹＮＣおよび内部水平同期信号ＩＨＳＹＮＣに基づいてラッチ回路２４０、信号線用制御信号出力部２６０、および走査線用制御信号出力部２７０を制御する。また、タイミングジェネレータ２３０は、上記垂直同期出力信号ＶＳＯＵＴに相当する送信制御信号ＴＥをホスト１に送信する。
【００７８】
なお、画面をリフレッシュする際のコマンドレジスタ２２０、タイミングジェネレータ２３０、およびフレームメモリ２８０の動作は、ビデオモードＲＡＭキャプチャーの表示制御回路２００の動作と同じであるので、それらの説明を省略する。
【００７９】
＜２．３  動作の概要＞
本明細書において休止駆動とは、ホスト１から更新された画像データ（ＲＧＢデータＲＧＢＤ）が与えられたとき、画面をリフレッシュするフレーム（以下「リフレッシュフレーム」という）の後に、画面のリフレッシュを休止するフレーム（以下「ノンリフレッシュフレーム」という）を設け、これらのリフレッシュフレームとノンリフレッシュフレームをそれぞれ所定のフレーム数ずつ交互に繰り返す駆動をいう。例えば前述した図１および図２に示す場合と同様に、後述する各図における各矩形ボックスは１フレームを示し、リフレッシュフレームには「Ｒ」を付し、ノンリフレッシュフレームには「Ｎ」を付している。
【００８０】
リフレッシュフレームでは、上述のように画面のリフレッシュが行われる。より詳細には、ＲＧＢデータＲＧＢＤに対応するデジタル画像信号を含む信号線用制御信号ＳＣＴに応じて信号線駆動回路３００から信号線ＳＬ１〜ＳＬｍに駆動用画像信号が供給されると共に、走査線用制御信号ＧＣＴに応じて走査線駆動回路４００により走査線ＧＬ１〜ＧＬｎが順に選択される。選択された走査線ＧＬに対応したＴＦＴ１１１がオン状態になって液晶容量Ｃｃｌに駆動用画像信号の電圧が書き込まれる。このようにして、画面がリフレッシュされる。その後、ＴＦＴ１１１がオフ状態になり、液晶容量Ｃｃｌに書き込まれた電圧は、次に画面がリフレッシュされるまで保持される。
【００８１】
ノンリフレッシュフレームでは、上述の画面のリフレッシュが休止される。より詳細には、走査線用制御信号ＧＣＴの走査線駆動回路４００への供給が停止するかまたは走査線用制御信号ＧＣＴが固定電位となることにより、走査線駆動回路４００の動作が停止するので、走査線ＧＬ１〜ＧＬｎの走査は行われない。その結果、ノンリフレッシュフレームでは液晶容量Ｃｃｌに駆動用画像信号は書き込まれない。ただし、液晶容量Ｃｃｌには直前に書き込まれた駆動用画像信号が保持されているので、直前のリフレッシュフレームでリフレッシュされた画面が引き続き表示される。また、ノンリフレッシュフレームでは、信号線用制御信号ＳＣＴの信号線駆動回路３００への供給を停止するなどして、信号線駆動回路３００の動作が停止する。このように、ノンリフレッシュフレームでは、走査線駆動回路４００および信号線駆動回路３００は動作を停止するので、消費電力を低減することができる。なお、信号線駆動回路３００は動作させるようにしても良い。
【００８２】
休止駆動中に、液晶誘電率の異方性に起因する残像が視認されることを防止するために、更新されたＲＧＢデータＲＧＢＤがホスト１から液晶表示装置２に送信されてきたとき、同一のＲＧＢデータＲＧＢＤに対応する駆動用画像信号の電圧を液晶容量Ｃｃｌに書き込むリフレッシュを３回行う。リフレッシュを３回行うことにより、液晶分子の方向を印加電圧に対応した方向に配向させることができる。なお、本明細書では、更新されたＲＧＢデータＲＧＢＤがホスト１から送信されてきたとき、液晶表示装置２はリフレッシュを３回行うとして説明するが、４回以上行っても良い。リフレッシュを４回以上行うことにより、液晶分子を印加電圧に対応する方向により確実に配向させることができるので、より確実に残像が視認されないようにすることができる。
【００８３】
また、画像データが更新された時に行う１回目のリフレッシュと、その後に行う２回目のリフレッシュとの間に設けるノンリフレームのフレーム数はＲｅｆ＿ｉｎｔによって決まり、Ｒｅｆ＿ｉｎｔはコマンドレジスタ２２０内に設けられたレジスタ２２２に格納されている。コマンドレジスタ２２０は、表示部１００の画面をリフレッシュするためのタイミング制御信号ＴＳを生成するときには、Ｒｅｆ＿ｉｎｔをレジスタ２２２から読み出して生成したタイミング制御信号ＴＳをタイミングジェネレータ２３０に送信する。
【００８４】
＜２．４  休止駆動における動作＞
図８は、本実施形態に係る液晶表示装置２の休止駆動における動作を説明するための図である。液晶表示装置２はオートリフレッシュ機能を備えた表示装置である。また、本実施形態では、Ｒｅｆ＿ｉｎｔを２に設定する。
【００８５】
まず、第１フレームにおいて、更新された画像データが送信されてくるので、この画像データを用いて１回目のリフレッシュを行い、Ｒｅｆ＿ｉｎｔに基づいて第２および第３フレームでリフレッシュを休止する。次に、第４および第５フレームで、１回目のリフレッシュに用いた画像データと同じ画像データを用いて２回目および３回目のリフレッシュを連続して行う。その後、第６フレームから第１２フレームまでリフレッシュを休止する。
【００８６】
第１３フレームにおいて、更新された画像データが送信されてくるので、この画像データを用いて１回目のリフレッシュを行い、Ｒｅｆ＿ｉｎｔに基づいて第１４および第１５フレームでリフレッシュを休止する。次に、第１６および第１７フレームで１回目のリフレッシュに用いた画像データと同じ画像データを用いて２回目および３回目のリフレッシュを連続して行う。その後、第１８フレームから第２４フレームまでリフレッシュを休止する。
【００８７】
同様にして、更新された画像データが送信されてくると、この画像データを用いて１回目のリフレッシュを行い、Ｒｅｆ＿ｉｎｔに基づいて次の２フレーム期間だけリフレッシュを休止する。そして、２回目および３回目のリフレッシュを連続して行い、次の更新された画像データが送信されてくるまでリフレッシュを休止することを繰り返す。
【００８８】
＜２．５  効果＞
本実施形態によれば、更新された画像データを受信してから短期間にリフレッシュを３回行うことができるので、液晶分子の方向を印加電圧に対応する方向に短時間で配向させることができる。これにより、液晶表示装置２の消費電力を低減しつつ、液晶誘電率の異方性に起因する残像を視認できなくすることができる。
【００８９】
＜２．６  変形例＞
＜２．６．１  第１の変形例＞
上記実施形態では、Ｒｅｆ＿ｉｎｔとして２を設定した。しかし、Ｒｅｆ＿ｉｎｔは２に限定されず、１であってもよく、また３以上の整数であってもよい。第１の変形例は、上記本実施形態においてＲｅｆ＿ｉｎｔだけを３に設定する場合である。図９は、本実施形態の第１の変形例に係る液晶表示装置２の休止駆動における動作を説明するための図である。第１の変形例では、図９に示すように、更新された画像データが送信されてくると、この画像データを用いて１回目のリフレッシュを行い、Ｒｅｆ＿ｉｎｔに基づいて次の３フレーム期間だけリフレッシュを休止する。そして、２回目および３回目のリフレッシュを連続して行い、次の更新された画像データが送信されてくるまでリフレッシュを休止することを繰り返す。この場合も、短期間にリフレッシュを３回行うことができる。なお、Ｒｅｆ＿ｉｎｔを大きくしすぎれば残像が視認されるようになるので、Ｒｅｆ＿ｉｎｔを適宜調整する必要がある。
【００９０】
＜２．６．２  第２の変形例＞
上記実施形態および第１の変形例では、２番目のリフレッシュと３番目のリフレッシュを連続して行うとした。しかし、これらのリフレッシュは必ずしも連続的に行う必要はなく、それらの間に休止期間を設けてもよい。例えば、２番目のリフレッシュと３番目のリフレッシュとの間にも、２フレーム期間分の休止期間を設けてもよい。図１０は、本実施形態の第２の変形例に係る液晶表示装置２の休止駆動における動作を説明するための図である。第２の変形例では、図１０に示すように、画像データのリフレッシュレートが１０Ｈｚである場合、第１フレームで更新された画像データを用いて１回目のリフレッシュを行い、第２および第３フレームでリフレッシュを休止する。第４フレームで２回目のリフレッシュを行い、第５および第６フレームでリフレッシュを休止する。次に、第７フレームで３回目のリフレッシュを行おうとすると、次の更新された画像データが送信されてくる。そこで、３回目のリフレッシュを中止し、更新された画像データを用いて１回目のリフレッシュを行う。このように、画像データが更新されるごとに、リフレッシュを２回しか行わないので、液晶表示装置２の消費電力を低減することができる。なお、２番目のリフレッシュと３番目のリフレッシュとの間にも、２フレーム分の休止期間を設けることは、リフレッシュレートが１５Ｈｚ以上の画像データをリフレッシュする場合にも同様に適用することができる。
【００９１】
＜３．第２の実施形態＞
図１１は、本発明の第２の実施形態に係る液晶表示装置２の休止駆動における動作を説明するための図である。なお、本実施形態は、休止駆動における動作を除き上記第１の実施形態と同様であるので、液晶表示装置２の構成および液晶表示装置２に含まれる表示制御回路２００の構成をそれぞれ示すブロック図およびそれらの説明を省略する。
【００９２】
＜３．１  休止駆動における動作＞
上記第１の実施形態では、更新された画像データはホスト１から一定のフレームレート（例えば５Ｈｚ）で送信されてくる。しかし、画像データのリフレッシュレートは、休止駆動を開始してから切り替わってもよい。本実施形態では、このリフレッシュレートがいつから切り替わるかが予めわかっているとする。
【００９３】
図１１に示すように、例えば、画像データのリフレッシュレートが、１回目および２回目に送信されてきたときには１５Ｈｚであるが、３回目およびそれ以後に送信されてくるときには５Ｈｚに切り替わることが予めわかっているとする。そこで、１回目および２回目に送信されてくる画像データをリフレッシュするために、１５Ｈｚに対応してＲｅｆ＿ｉｎｔを２に設定する。また、３回目以降に送信されてくる画像データをリフレッシュするために、５Ｈｚに対応してＲｅｆ＿ｉｎｔを０に設定する。
【００９４】
この場合、Ｒｅｆ＿ｉｎｔは２であるので、第１フレームで１回目のリフレッシュを行い、第２および第３フレームでリフレッシュを休止する。第４フレームで２回目のリフレッシュを行い、さらに第５フレームで３回目のリフレッシュを行おうとすると、次の更新された画像データが送信されてくる。
【００９５】
そこで、第５フレームで行う予定であった３回目のリフレッシュを中止し、更新された画像データを用いて１回目のリフレッシュを行う。そして、第６および第７フレームでリフレッシュを休止する。第８フレームで２回目のリフレッシュを行い、さらに第９フレームで３回目のリフレッシュを行おうとすると、次の更新された画像データが送信されてくる。そこで、第９フレームで行う予定であった３回目のリフレッシュを中止し、更新された画像データを用いて１回目のリフレッシュを行う。
【００９６】
第９フレームにおいて送信されてくる画像データのリフレッシュレートが５Ｈｚに変更されていることが予めわかっているので、Ｒｅｆ＿ｉｎｔを０に設定し直す。設定し直したＲｅｆ＿ｉｎｔに基づいて、第１０および第１１フレームで２回目および３回目のリフレッシュをそれぞれ行う。そして、第１２フレームから第２０フレームまでリフレッシュを休止する。
【００９７】
第２１フレームにおいて、送信されてくる画像データのリフレッシュレートは、第９フレームの画像データのリフレッシュレートと同じ５Ｈｚであるので、Ｒｅｆ＿ｉｎｔを変更することなく、この画像データを用いて１回目のリフレッシュを行い、さらに第２２および第２３フレームで２回目および３回目のリフレッシュをそれぞれ行う。そして、第２４フレームから第３２フレームまでリフレッシュを休止する。以下、同様にして、更新された画像データが５Ｈｚで送信されてくるので、Ｒｅｆ＿ｉｎｔを変更することなく休止駆動を行う。
【００９８】
なお、上記実施形態では、リフレッシュレートが１５Ｈｚの画像データを用いてリフレッシュを所定回数行った後に、画像データのリフレッシュレートが１５Ｈｚから５Ｈｚに切り替わる場合について説明した。しかし、リフレッシュレートの変更はこれに限定されず、例えば３０Ｈｚから１Ｈｚに変更される場合であってもよく、また逆に５Ｈｚから１５Ｈｚに切り替わったり、１Ｈｚから３０Ｈｚに切り替わったりする場合にも同様に適用できる。
【００９９】
＜３．２  効果＞
本実施形態によれば、画像データのリフレッシュレートが休止駆動中に切り替わることが予めわかっているので、それに合わせてＲｅｆ＿ｉｎｔを設定し直す。これにより、ホスト１から送信されてきた画像データのリフレッシュレートが休止駆動中に切り替わる場合にも、液晶表示装置２の消費電力を低減しつつ、休止駆動中に残像が視認されないようにすることができる。
【０１００】
＜３．３  変形例＞
上記実施形態では、画像データのリフレッシュレートの切り替わるタイミングが予めわかっていたので、それに合わせてＲｅｆ＿ｉｎｔの設定を変更した。しかし、画像データのリフレッシュレートが切り替わるタイミングは予めわかっておらず、突然切り替わる場合であってもよい。
【０１０１】
＜３．３．１  第１の変形例＞
図１２は、本実施形態の第１の変形例に係る液晶表示装置２の休止駆動における動作を説明するための図である。第１の変形例では、図１２に示すように、画像データのリフレッシュレートが、１回目および２回目に送信されてきたときには１５Ｈｚであるが、３回目に送信されてきたときには５Ｈｚに切り替わっている。しかし、５Ｈｚに切り替わった時点では、表示制御回路２００は、画像データのリフレッシュレートが１５Ｈｚであるのか、それとも５Ｈｚに切り替わったのかを判断することができない。
【０１０２】
更新された画像データが１５Ｈｚで送信されてきた場合における休止駆動は図１１に示す場合と同じであるので、第１フレームから第８フレームまでの説明を省略し、第９フレームでの動作から説明する。第９フレームにおいて、送信されてきた画像データのリフレッシュレートは１５Ｈｚから５Ｈｚに切り替わっているが、この時点では、表示制御回路２００はリフレッシュレートが切り替わっていることを認識できない。このため、このときのＲｅｆ＿ｉｎｔは２のままである。しかし、リフレッシュレートが５Ｈｚに切り替わっているので、次の更新された画像データが送信されてくるのは、第１３フレームではなく、第２１フレームである。その結果、第９フレームで、更新された画像データを用いてリフレッシュを行い、第１０および第１１フレームでリフレッシュを休止する。次に、第１２および第１３フレームで２回目および３回目のリフレッシュを行い、第１４フレームから第２０フレームまでリフレッシュを休止する。
【０１０３】
第２１フレームで、更新された画像を受信することにより、表示制御回路２００は更新周期が５Ｈｚに切り替わったことを認識し、Ｒｅｆ＿ｉｎｔの設定を０に変更する。したがって、第２１フレームで１回目のリフレッシュを行い、第２２および第２３フレームで２回目および３回目のリフレッシュをそれぞれ行う。そして、第２４フレームから第３２フレームまでリフレッシュを休止する。以下、同様にして、更新された画像データが５Ｈｚで送信されてくるので、Ｒｅｆ＿ｉｎｔは０のままである。
【０１０４】
このように、画像データのリフレッシュレートが切り替わることが予めわかっていない場合には、表示制御回路２００は、切り替わった直後にそのことを認識できないので、Ｒｅｆ＿ｉｎｔはそれに合わせて直ちに変更されることはない。しかし、次に同じリフレッシュレートで画像データが送信されてくれば、それに合わせてＲｅｆ＿ｉｎｔは設定し直される。このため、Ｒｅｆ＿ｉｎｔを設定し直すタイミングは、リフレッシュレートが切り替わるタイミングよりも遅れる。しかし、ホスト１から送信されてくる画像データのリフレッシュレートが突然切り替わる場合にも、Ｒｅｆ＿ｉｎｔを設定し直すことによって、リフレッシュレートによらず、休止駆動中の残像を確実に視認されないようにすることができる。
【０１０５】
＜３．３．２  第２の変形例＞
画像データのリフレッシュレートが、例えば３０Ｈｚ、１５Ｈｚ、１０Ｈｚ、５Ｈｚなどのように複数のリフレッシュレートの間で次々に切り替わってもよい。図１３は、本実施形態の第２の変形例に係る液晶表示装置２の休止駆動における動作を説明するための図である。第２の変形例では、図１３に示すように、リフレッシュレートが３０Ｈｚから順に切り替わっても、Ｒｅｆ＿ｉｎｔを、それに応じて変更することなく、常に２になるように設定しておく。これにより、Ｒｅｆ＿ｉｎｔを格納するためにコマンドレジスタ２２０内にレジスタ２２２を１個だけ設ければ良いので、表示制御回路２００の製造コストを低減することができる。なお、合計３回のリフレッシュを早期に行うことによって残像を視認されないようにするためには、Ｒｅｆ＿ｉｎｔとして１〜３のいずれか１つを設定することが好ましいが、これに限定されることはない。
【０１０６】
＜４．第３の実施形態＞
図１４は、本発明の第３の実施形態に係る液晶表示装置２の休止駆動における動作を説明するための図である。なお、本実施形態は、休止駆動における動作を除き上記第１の実施形態と同様であるので、液晶表示装置２の構成および液晶表示装置２に含まれる表示制御回路２００の構成をそれぞれ示すブロック図およびそれらの説明を省略する。
【０１０７】
＜４．１  休止駆動における動作＞
休止駆動期間の全体を通じて、液晶容量Ｃｃｌの印加電圧の正極性と負極性のバランスを考慮しない場合には、液晶層に特定方向の電圧が印加される時間が長くなり、液晶層の劣化が進みやすくなる。そこで、本実施形態では、休止駆動中の残像を視認できなくすると共に、さらに液晶層の劣化を抑制する。
【０１０８】
本実施形態では、液晶層の劣化を抑制するために極性反転駆動（交流駆動）を行う。図１４に示す各リフレッシュフレームおよびノンリフレッシュフレームの下部に、当該フレームで行うリフレッシュ時に印加される電圧の極性が示されている。具体的には、「＋」は、画素電極１１２に印加される電圧が、共通電極１１３に印加される電圧よりも高いことを示す。「−」は、画素電極１１２に印加される電圧が、共通電極１１３に印加される電圧よりも低いことを示す。以下では、画素電極１１２に共通電極１１３よりも高い電圧を印加してリフレッシュを行うリフレッシュフレームのことを「正極性リフレッシュフレーム」といい、画素電極１１２に共通電極１１３よりも低い電圧を印加してリフレッシュを行うリフレッシュフレームのことを「負極性リフレッシュフレーム」という。
【０１０９】
図１４に示すように、更新された画像データがホスト１から５Ｈｚで送信されてくるとし、Ｒｅｆ＿ｉｎｔは２であるとする。第１フレームにおいて、ホスト１から更新された画像データが送信されてくれば、１回目のリフレッシュを行う。このリフレッシュは正極性のリフレッシュであるため、第１フレームは正極性リフレッシュフレームになる。Ｒｅｆ＿ｉｎｔを２に設定しているので、第２および第３フレームではリフレッシュを休止する。しかし、１回目のリフレッシュ時と同じ正極性の電圧が保持されるので、第２および第３フレームも正極性のノンリフレッシュフレームになる。第４フレームにおいて２回目のリフレッシュが行われる。極性はリフレッシュを行うごとに反転するので、このリフレッシュは負極性のリフレッシュである。さらに、第５フレームにおいて３回目のリフレッシュが行われる。このリフレッシュは正極性のリフレッシュである。その後、第６フレームから第１２フレームまでの各フレームにおいてリフレッシュを休止する。このとき、３回目のリフレッシュ時と同じ正極性の電圧が保持されるので、第６から第１２フレームも正極性のノンリフレッシュフレームになる。この場合、第１フレームから第１２フレームまでの正極性フレームのフレーム数は１１フレームであり、負極性フレームのフレーム数は１フレームである。
【０１１０】
第１３フレームにおいて、ホスト１から更新された画像データが送信されてくれば、４回目のリフレッシュを行う。このリフレッシュは負極性のリフレッシュであるため、第１３フレームは負極性リフレッシュフレームになる。Ｒｅｆ＿ｉｎｔを２に設定しているので、第１４および第１５フレームではリフレッシュを休止する。しかし、１回目のリフレッシュ時と同じ負極性の電圧が保持されるので、第１４および第１５フレームも負極性のノンリフレッシュフレームになる。第１６フレームにおいて５回目のリフレッシュが行われる。極性はリフレッシュを行うごとに反転するので、このリフレッシュは正極性のリフレッシュである。さらに、第１７フレームにおいて６回目のリフレッシュが行われる。このリフレッシュは負極性のリフレッシュである。その後、第１８フレームから第２４フレームまでの各フレームにおいてリフレッシュを休止する。このとき、６回目のリフレッシュ時と同じ負極性の電圧が保持されるので、第１８から第２４フレームも負極性のノンリフレッシュフレームになる。この場合、第１３フレームから第２４フレームまでの正極性フレームのフレーム数は１フレームであり、負極性フレームのフレーム数は１１フレームである。
【０１１１】
その結果、第１フレームから第２４フレームまでの正極性フレームのフレーム数および負極性フレームのフレーム数はいずれも１２フレームになる。このようにして、正極性フレームのフレーム数と負極性フレームのフレーム数とが同じ割合になるようなリフレッシュが行われる。
【０１１２】
なお、本実施形態では、リフレッシュレートが５Ｈｚである場合について説明したが、第１および第２の実施形態およびそれらの変形例についても、正極性フレームのフレーム数と負極性フレームのフレーム数とが同じ割合になるようにリフレッシュを行うことができる。
【０１１３】
＜４．２  効果＞
本実施形態によれば、第１の実施形態の場合と同様の効果を奏し、さらに正極性フレームのフレーム数と負極性フレームのフレーム数とを同じ割合にすることができる。このように、液晶層を交流駆動することによって、特定方向の電圧が液晶層に印加される時間が長くなることがなくなり、液晶層の劣化を抑制することができる。
【０１１４】
＜４．３  第１の変形例＞
図１５は、本実施形態の第１の変形例に係る液晶表示装置の休止駆動における動作を説明するための図である。ホスト１から送信された画像データが更新されていない場合、すなわち直前に送信された画像データと同じ画像データが送信されてきた場合、休止期間に残像が視認されるという問題は生じない。そこで、このような場合のリフレッシュについて説明する。
【０１１５】
第１フレームから第２４フレームまでのリフレッシュおよびノンリフレッシュは、上述の図１４の場合と同じであるので、その説明を省略する。なお、第１フレームにおいて、ホスト１から送信されてくる画像データは画像Ａのデータであり、第１３フレームにおいて送信されてくる画像データは画像Ｂのデータであるとする。
【０１１６】
次に、第２５フレームにおいて、第１３フレームで送信されてきた画像データと同じ画像Ｂのデータが送信されてくる。そこで、第２５フレームでは、７回目のリフレッシュが行われる。このリフレッシュは正極性のリフレッシュであるため、第２５フレームは正極性リフレッシュフレームになる。Ｒｅｆ＿ｉｎｔを２に設定しているので、第２６および第２７フレームではリフレッシュを休止する。しかし、７回目のリフレッシュ時と同じ正極性の電圧が保持されるので、第２６および第２７フレームも正極性のノンリフレッシュフレームになる。
【０１１７】
第２５フレームで送信されてきた画像データが、第１３フレームで送信されてきた画像データと同じ画像Ｂのデータであったので、休止期間に残像が視認されることはない。このため、第２８および第２９フレームでも、リフレッシュを休止する。その結果、第２６フレームから第３６フレームまで、すべて正極性フレームになる。
【０１１８】
次に、第３７フレームにおいて、第２５フレームで送信されてきた画像データと異なり、画像Ｃのデータが送信されてくる。そこで、第３７フレームから第４８フレームまで、上述の第１３フレームから第２４フレームまでの場合と同様に、リフレッシュおよびノンリフレッシュが行われる。
【０１１９】
このように、直前に送信されてきた画像データと同じ画像データがホスト１から送信されてきた場合には、リフレッシュの回数を減らしても残像は視認されない。これにより、液晶表示装置２の消費電力を低減することができる。
【０１２０】
＜４．４  第２の変形例＞
図６に示すビデオモードＲＡＭキャプチャーの表示制御回路２００を備える液晶表示装置、または、図７に示すコマンドモードＲＡＭライトの表示制御回路２００を備える液晶表示装置は、ホスト１から送信されてきた画像データをフレームメモリ２８０に記憶させておくことができる。このため、ホスト１から画像データが送信されてこなくても、フレームメモリ２８０に記憶された画像データを読み出すことにより、リフレッシュを行うことができる。
【０１２１】
図１６は、本実施形態の第２の変形例に係る液晶表示装置の休止駆動における動作を説明するための図である。図１６に示すように、画像データが送信されてくるのは第１フレームだけである。しかし、第１３フレーム、第２５フレームおよび第３７フレームでは、第１フレームでフレームメモリ２８０に記憶させた画像データを読み出してリフレッシュを行う。この場合、フレームメモリ２８０から読み出した画像データは、第１フレームで送信されてきた画像データと同じデータであるので、第１３フレーム、第２５フレームおよび第３７フレームの各フレームでリフレッシュを行っても、残像が視認されることはない。このため、それぞれのフレームにおいてリフレッシュを行った後、さらに２回ずつリフレッシュを行う必要はない。したがって、第２５フレームから第３６フレームでは、図１６に示す第２５フレームから第３６フレームの場合と同様に、正極性のリフレッシュを１回だけ行い、その後正極性のノンリフレッシュが１１回続く。また、第１３フレームから第２４フレーム、および、第３７フレームから第４８フレームでは、それぞれ負極性のリフレッシュを１回だけ行い、その後負極性のノンリフレッシュが１１回続く。
【０１２２】
このように、フレームメモリ２８０から読み出した画像データを用いてリフレッシュを行う場合には、リフレッシュの回数を減らしても残像は視認されない。これにより、液晶表示装置２の消費電力を低減することができる。
【０１２３】
＜５．その他＞
上記各実施形態および変形例では、１フレームごとに極性を反転させる場合について記載したが、極性反転のさせ方はこれに限定されず、例えば２フレームごと、３フレームごとに極性を反転さてもよい。
【産業上の利用可能性】
【０１２４】
本発明は、休止駆動によって画像を表示する液晶表示装置に適用することができる。
【符号の説明】
【０１２５】
１…ホスト
２…液晶表示装置
１００…表示部
１１０…画素形成部
１１１…ＴＦＴ（薄膜トランジスタ）
２００…表示制御回路
２２０…コマンドレジスタ
２２２…レジスタ
２３０…タイミングジェネレータ
２４０…ラッチ回路
２８０…フレームメモリ（ＲＡＭ）
３００…信号線駆動回路
４００…走査線駆動回路
ＳＬ…信号線
ＧＬ…走査線
【図１】
2014050327.tif 000003
【図２】
2014050327.tif 000004
【図３】
2014050327.tif 000005
【図４】
2014050327.tif 000006
【図５】
2014050327.tif 000007
【図６】
2014050327.tif 000008
【図７】
2014050327.tif 000009
【図８】
2014050327.tif 000010
【図９】
2014050327.tif 000011
【図１０】
2014050327.tif 000012
【図１１】
2014050327.tif 000013
【図１２】
2014050327.tif 000014
【図１３】
2014050327.tif 000015
【図１４】
2014050327.tif 000016
【図１５】
2014050327.tif 000017
【図１６】
2014050327.tif 000018
【図１７】
2014050327.tif 000019
【図１８】
2014050327.tif 000020
【手続補正書】
【提出日】平成27年4月9日(2015.4.9)
【手続補正１】
【補正対象書類名】明細書
【補正対象項目名】００４９
【補正方法】変更
【補正の内容】
【００４９】
図３（ｂ）に示すように、リフレッシュレートが２０Ｈｚの画像データに応じた画像を表示するためにリフレッシュを行う場合、Ｒｅｆ＿ｉｎｔを３に設定すると、第１フレームで１回目のリフレッシュを行い、第２および第３フレームでリフレッシュを休止する。さらに第４フレームでもリフレッシュを休止しようとすると、次の更新された画像データが送信されてくるので、オートリフレッシュ機能によりリフレッシュを行う。第５および第６フレームではリフレッシュを休止するが、第７フレームでは、第４フレームの場合と同様に、更新された画像データが送信されてくるのでリフレッシュを行う。以下同様にして、２フレームおきにリフレッシュを行い、その直後の２フレームでリフレッシュを休止する。このように、Ｒｅｆ＿ｉｎｔを３に設定しているにもかかわらず、Ｒｅｆ＿ｉｎｔを２に設定した場合と同じ結果になる。Ｒｅｆ＿ｉｎｔを４以上に設定した場合も上記の場合と同じ結果になる。
【手続補正２】
【補正対象書類名】明細書
【補正対象項目名】００５０
【補正方法】変更
【補正の内容】
【００５０】
図３（ｃ）に示すように、１５Ｈｚで更新される画像データに応じた画像を表示するためにリフレッシュを行う場合、Ｒｅｆ＿ｉｎｔを４に設定すると、第１フレームで１回目のリフレッシュを行い、第２から第４フレームでリフレッシュを休止する。さらに第５フレームでもリフレッシュを休止しようとすると、次の更新された画像データが送信されてくるので、オートリフレッシュ機能によりリフレッシュを行う。第６フレームから第８フレームではリフレッシュを休止するが、第９フレームでは、第５フレームの場合と同様に、更新された画像データが送信されてくるのでリフレッシュを行う。以下同様にして、３フレームおきにリフレッシュを行い、その直後の３フレームでリフレッシュを休止する。このように、Ｒｅｆ＿ｉｎｔを４に設定しているにもかかわらず、Ｒｅｆ＿ｉｎｔを３に設定した場合と同じ結果になる。Ｒｅｆ＿ｉｎｔを５以上に設定した場合も上記の場合と同じ結果になる。
【手続補正３】
【補正対象書類名】明細書
【補正対象項目名】００５４
【補正方法】変更
【補正の内容】
【００５４】
ＴＦＴ１１１としては、例えば酸化物半導体をチャネル層に用いたＴＦＴ（以下「酸化物ＴＦＴ」という。）が用いられる。より詳細には、ＴＦＴ１１１のチャネル層は、インジウム（Ｉｎ）、ガリウム（Ｇａ）、亜鉛（Ｚｎ）、および酸素（Ｏ）を主成分とするＩｎＧａＺｎＯｘにより形成されている。以下では、ＩｎＧａＺｎＯｘをチャネル層に用いたＴＦＴのことを「ＩＧＺＯ−ＴＦＴ」という。ＩＧＺＯ−ＴＦＴは、多結晶シリコンや非晶質シリコンなどをチャネル層に用いたシリコン系のＴＦＴに比べてオフリーク電流が非常に小さいので、液晶容量Ｃｃｌに書き込まれた信号電圧は長期間保持される。このため、リフレッシュレートが低い場合でも表示品位の低下を抑制することができる。
【手続補正４】
【補正対象書類名】明細書
【補正対象項目名】００８３
【補正方法】変更
【補正の内容】
【００８３】
また、画像データが更新された時に行う１回目のリフレッシュと、その後に行う２回目のリフレッシュとの間に設けるノンリフレッシュフレームのフレーム数はＲｅｆ＿ｉｎｔによって決まり、Ｒｅｆ＿ｉｎｔはコマンドレジスタ２２０内に設けられたレジスタ２２２に格納されている。コマンドレジスタ２２０は、表示部１００の画面をリフレッシュするためのタイミング制御信号ＴＳを生成するときには、Ｒｅｆ＿ｉｎｔをレジスタ２２２から読み出して生成したタイミング制御信号ＴＳをタイミングジェネレータ２３０に送信する。
【手続補正５】
【補正対象書類名】明細書
【補正対象項目名】０１０３
【補正方法】変更
【補正の内容】
【０１０３】
第２１フレームで、更新された画像データを受信することにより、表示制御回路２００は更新周期が５Ｈｚに切り替わったことを認識し、Ｒｅｆ＿ｉｎｔの設定を０に変更する。したがって、第２１フレームで１回目のリフレッシュを行い、第２２および第２３フレームで２回目および３回目のリフレッシュをそれぞれ行う。そして、第２４フレームから第３２フレームまでリフレッシュを休止する。以下、同様にして、更新された画像データが５Ｈｚで送信されてくるので、Ｒｅｆ＿ｉｎｔは０のままである。
【手続補正６】
【補正対象書類名】明細書
【補正対象項目名】０１１０
【補正方法】変更
【補正の内容】
【０１１０】
第１３フレームにおいて、ホスト１から更新された画像データが送信されてくれば、４回目のリフレッシュを行う。このリフレッシュは負極性のリフレッシュであるため、第１３フレームは負極性リフレッシュフレームになる。Ｒｅｆ＿ｉｎｔを２に設定しているので、第１４および第１５フレームではリフレッシュを休止する。しかし、１３回目のリフレッシュ時と同じ負極性の電圧が保持されるので、第１４および第１５フレームも負極性のノンリフレッシュフレームになる。第１６フレームにおいて５回目のリフレッシュが行われる。極性はリフレッシュを行うごとに反転するので、このリフレッシュは正極性のリフレッシュである。さらに、第１７フレームにおいて６回目のリフレッシュが行われる。このリフレッシュは負極性のリフレッシュである。その後、第１８フレームから第２４フレームまでの各フレームにおいてリフレッシュを休止する。このとき、６回目のリフレッシュ時と同じ負極性の電圧が保持されるので、第１８から第２４フレームも負極性のノンリフレッシュフレームになる。この場合、第１３フレームから第２４フレームまでの正極性フレームのフレーム数は１フレームであり、負極性フレームのフレーム数は１１フレームである。
【手続補正７】
【補正対象書類名】明細書
【補正対象項目名】０１２３
【補正方法】変更
【補正の内容】
【０１２３】
＜５．その他＞
上記各実施形態および変形例では、１リフレッシュフレームごとに極性を反転させる場合について記載したが、極性反転のさせ方はこれに限定されず、例えば２リフレッシュフレームごと、３リフレッシュフレームごとに極性を反転さてもよい。
【手続補正書】
【提出日】平成28年6月15日(2016.6.15)
【手続補正１】
【補正対象書類名】図面
【補正対象項目名】図８
【補正方法】変更
【補正の内容】
【図８】
2014050327.tif 000021
【国際調査報告】
2014050327.tif 000022
2014050327.tif 000023
2014050327.tif 000024
2014050327.tif 000025